(57)【要約】【課題】排泄物の吸収に起因して生じる臭気を香料によって効果的に抑制し得る吸収性物品を提供すること。【解決手段】吸収性物品１０は、表面シート２と、裏面シート３と、両シート２，３間に配置された吸収体４とを有する。表面シート２は、その肌対向面側が凹凸構造を有している。凹凸構造における凸部の頂部を形成する頂部域と、凹部の底部を形成する底部域と、該頂部域及び該底部域の間に位置する側部域とを有している。頂部域に香料が含まれている。香料が、尿臭成分に起因するヒトの嗅覚受容体の活性化を阻害する物質からなることが好適である。嗅覚受容体がＯＲ９Ｑ２、ＯＲ１０Ｇ４、ＯＲ１０Ｇ７又はＯＲ２Ｗ１であることも好適である。【選択図】図１
2018102615.tif 000002
【特許請求の範囲】
【請求項１】
表面シートと、裏面シートと、両シート間に配置された吸収体とを有する吸収性物品であって、
前記表面シートは、その肌対向面側が凹凸構造を有しており、該凹凸構造における凸部の頂部を形成する頂部域と、凹部の底部を形成する底部域と、該頂部域及び該底部域の間に位置する側部域とを有し、
前記頂部域に香料を含む吸収性物品。
【請求項２】
前記凸部が中空構造を有している請求項１に記載の吸収性物品。
【請求項３】
前記表面シートが中央域と、該中央域から前後方向に延出する前方域及び後方域を有し、前記後方域における前記凹凸構造の前記頂部域に前記香料を含む請求項１又は２に記載の吸収性物品。
【請求項４】
前記前方域における前記凹凸構造の前記頂部域に前記香料を含む請求項３に記載の吸収性物品。
【請求項５】
前記表面シートは、前記凸部は長手方向に延びる筋状の凸条部であり、前記凹部は長手方向に延びる筋状の凹条部であり、該凸条部と該凹条部とが幅方向に交互に配された前記凹凸構造を有し、前記凹条部において、隣接する下側シートと接合されている請求項１ないし４のいずれか一項に記載の吸収性物品。
【請求項６】
前記側部域の繊維密度又は前記底部域の繊維密度が、前記頂部域の繊維密度よりも低くなっている請求項１ないし５のいずれか一項に記載の吸収性物品。
【請求項７】
前記香料が、尿臭成分に起因するヒトの嗅覚受容体の活性化を阻害する物質を含む請求項１ないし６のいずれか一項に記載の吸収性物品。
【請求項８】
前記香料が、ｐ−クレゾール又は２−メトキシ−４−ビニルフェノールに起因するヒトの嗅覚受容体の活性化を阻害する物質を含む請求項７に記載の吸収性物品。
【請求項９】
前記嗅覚受容体がＯＲ９Ｑ２、ＯＲ１０Ｇ４、ＯＲ１０Ｇ７及びＯＲ２Ｗ１のいずれかである請求項７又は８に記載の吸収性物品。
【発明の詳細な説明】
【技術分野】
【０００１】
本発明は、吸収性物品に関する。
【背景技術】
【０００２】
使い捨ておむつ、失禁パッド及び生理用ナプキンなどの各種の吸収性物品においては、吸収した排泄物から生ずる臭気が知覚されないようにする目的で、該吸収性物品に香料を施して臭気をマスキングすることがしばしば行われている。マスキングの効果を高めるためには、香料の香りを強くする必要があるが、香料の香りが強すぎると、着用者や他者の気分を悪くさせることがある。
【０００３】
香料によるマスキング効果を高める目的で、香料は一般に吸収性物品における吸収体に施されることが多い。しかし、吸収体に吸収された尿等の排泄物が香料と混ざり合うことで別の臭いが発生し、香料によるマスキング効果が低下する場合がある。
【０００４】
吸収性物品に吸収保持された排泄物から生ずる臭気を抑制する他の技術として、特許文献１には、表面シートとして使用する不織布に防臭剤を塗布ないし含浸させることが記載されている。特許文献２には、吸収性物品の表面シートを構成する、消臭剤を配合した穴あきフィルムで形成することが記載されている。
【先行技術文献】
【特許文献】
【０００５】
【特許文献１】特開平３−３０９９３７号公報
【特許文献２】特開２００１−２７６１１７号公報
【発明の概要】
【発明が解決しようとする課題】
【０００６】
特許文献１及び２に記載の技術は、臭気をある程度は抑制できるものの、香気を生ずるものではないので、臭気のマスキング効果が奏されるものではない。
【０００７】
したがって本発明の課題は、賦香された吸収性物品の改良にあり、更に詳しくは排泄物の吸収に起因して生じる臭気を香料によって効果的に抑制し得る吸収性物品を提供することにある。
【課題を解決するための手段】
【０００８】
本発明は、表面シートと、裏面シートと、両シート間に配置された吸収体とを有する吸収性物品であって、
前記表面シートは、その肌対向面側が凹凸構造を有しており、該凹凸構造における凸部の頂部を形成する頂部域と、凹部の底部を形成する底部域と、該頂部域及び該底部域の間に位置する側部域とを有し、
前記頂部域に香料を含む吸収性物品を提供するものである。
【発明の効果】
【０００９】
本発明によれば、排泄物の吸収に起因して生じる尿臭等の臭気を、香料によって効果的に抑制し得る吸収性物品が提供される。
【図面の簡単な説明】
【００１０】
【図１】図１は、本発明の吸収性物品の一実施形態を示す長手方向中央域における幅方向に沿った厚み方向断面図である。
【図２】図２は、図１に示す吸収性物品における肌対向面側の要部を拡大して示す一部破断斜視図である。
【図３】図３は、図２における要部拡大模式図である。
【図４】図４（ａ）は、目的の臭い分子が嗅覚受容体を活性化させる機序を示す模式図であり、図４（ｂ）は、嗅覚受容体アンタゴニズムによって、目的の臭い分子に対する受容体の活性化が阻害される機序を示す模式図である。
【図５】図５は、本発明の吸収性物品に用いられる表面シートの別の実施形態を示す斜視図である。
【発明を実施するための形態】
【００１１】
以下本発明を、その好ましい実施形態に基づき図面を参照しながら説明する。図１には本発明の吸収性物品の一実施形態が示されている。同図は、吸収性物品の長手方向中央域（つまり着用状態における着用者の股下部）における幅方向に沿った厚み方向断面図である。図１に示すとおり、吸収性物品１０は、肌当接面を形成する液透過性の表面シート２、液不透過性の裏面シート３、及びこれら両シート２，３間に介在された吸収体４を具備する。液不透過性は、液難透過性を含む。吸収性物品１０は、縦長の形状を有し、図１における紙面と直交する方向である長手方向、及び幅方向Ｙを有している。長手方向は、吸収性物品１０を着用したときの着用者の前後方向と一致し、幅方向Ｙは、吸収性物品１０の平面視において、長手方向Ｘと直交する方向である。吸収性物品１０は、これを長手方向に沿って見たとき、中央域と、該中央域から前後方向に延出する前方域及び後方域を有している。
【００１２】
表面シート２及び裏面シート３は、吸収体４の周縁から延出した部分が、吸収性物品１０の周縁部７において互いに接合されている。吸収性物品１０の裏面シート３側の面（非肌当接面）には、吸収性物品１０の具体的な用途に応じて、粘着剤層（図示せず）が設けられていてもよい。粘着剤層は、吸収性物品１０の着用状態において、該吸収性物品１０を、下着や別の吸収性物品に固定するために用いられる。肌当接面は、吸収性物品又はその構成部材における、着用時に着用者の肌側に向けられる面であり、非肌当接面は、吸収性物品又はその構成部材における、着用時に着用者の肌側とは反対側（通常、下着側）に向けられる面である。
【００１３】
吸収体４は、例えば吸収性コアと、該吸収性コアの周囲を被覆する被覆シートとを備えている。吸収性コアは、パルプ繊維を始めとする各種の吸水性繊維から構成されている。あるいは吸収性コアは、水を吸収して膨潤し且つ水を保持する性質を有するヒドロゲル材料からなる高吸収性ポリマーから構成されている。吸収性コアが、吸水性繊維及び高吸収性ポリマーの双方を含んでいてもよい。被覆シートは液透過性のシートからなる。被覆シートとしては、例えば各種の不織布に親水化処理を施したものや、ティッシュペーパーなどを用いることができる。
【００１４】
吸収体４は、上述した吸収性コアと被覆シートとを備えた構成の他に、吸収性シートから構成されていてもよい。吸収性シートとしては、例えば繊維材料及び高吸収性ポリマーを含むシートが用いられる。吸収性シートとしては、湿潤状態の高吸収性ポリマーに生じる粘着力や別に添加した接着剤や接着性繊維等のバインダーを介して、構成繊維間や構成繊維と高吸収性ポリマーとの間を結合させてシート状としたもの等を好ましく用いることができる。また、吸収性シートとして、特開平８−２４６３９５号公報記載の方法にて製造された吸収性シート、気流に乗せて供給した粉砕パルプ及び高吸収性ポリマーを堆積させた後、接着剤（例えば酢酸ビニル系の接着剤、ＰＶＡ等）で固めた乾式シート、紙や不織布の間にホットメルト接着剤等を塗布した後、高吸収性ポリマーを散布して得られた吸収性シート、スパンボンド又はメルトブロー不織布製造工程中に高吸収性ポリマーを配合して得られた吸収性シート等を用いることもできる。
【００１５】
裏面シート３の形成材料としては、吸収性物品の裏面シートに従来使用されている各種のもの等を特に制限なく用いることができ、例えば、液不透過性又は撥水性の樹脂フィルム、樹脂フィルムと不織布とのラミネートシート等を用いることができる。
【００１６】
表面シート２は、その肌対向面側が凹凸構造を有している。つまり表面シート２の肌対向面側には凸部と凹部とが形成されている。詳細には、図１及び図２に示すとおり、表面シート２の肌対向面側には、凸部としての一方向に延びる筋状の凸条部１３及び凹部としての一方向に延びる筋状の凹条部１４が幅方向に交互に配された凹凸構造が形成されている。表面シート２は、その凹条部１４において、隣接する下側シート６と接合部１４ｓにおいて接合されており、凸条部１３は表面シート２と下側シート６との間で中空構造を有している。
【００１７】
下側シート６は、例えば、表面シート２と吸収体４との間に配された、熱可塑性樹脂の繊維の集合体からなるセカンドシートであり得る。熱可塑性樹脂の繊維の集合体としては、一般に不織布を用いることができる。セカンドシートに代えて、下側シート６として、吸収体４を構成する吸収性コアを被覆する被覆シートを用いてもよい。
【００１８】
表面シート２は、図２に示すとおり、構成繊維１１どうしの交点を熱融着して形成された融着部を複数備えた不織布である。この不織布としては、例えばエアスルー不織布、スパンボンド不織布、スパンレース不織布、メルトブローン不織布などを始めとして、吸収性物品の技術分野においてこれまで用いられてきたものと同様のものを特に制限なく用いることができる。また、表面シート２においては、図２に示すとおり、凸条部１３及び凹条部１４が延びる「一方向」は、吸収性物品１０の長手方向Ｘと同方向である。
【００１９】
図２に示す表面シート２の厚み方向の断面を示す模式図である図３に示すとおり、表面シート２は、表裏両面ａ，ｂの断面形状がともに厚み方向（Ｚ方向）の上方（肌当接面側）に向かって凸状をなす複数の凸条部１３と、隣り合う凸条部１３，１３どうしの間に位置する凹条部１４とを有している。凹条部１４は、表裏両面ａ，ｂの断面形状がともに表面シート２の厚み方向（Ｚ方向）の上方に向かって凹状をなしている。言い換えれば、凹条部１４は、表裏両面ａ，ｂの断面形状がともに表面シート２の厚み方向（Ｚ方向）の下方（非肌当接面側）に向かって凸状をなしている。そして、複数の凸条部１３は、それぞれ、表面シート２のＸ方向に連続して延びており、複数の凹条部１４も、表面シート２のＸ方向に連続して延びる溝状をなしている。凸条部１３及び凹条部１４は、互いに平行であり、Ｘ方向に直交するＹ方向に沿って交互に配されている。
【００２０】
表面シート２は、図４に示すとおり表面シート２を厚み方向Ｚに沿って断面視したとき、頂部域１３ａ、底部域１３ｂ、及びこれらの間に位置する側部域１３ｃとから構成される。頂部域１３ａ、底部域１３ｂ及び側部域１３ｃは、表面シート２のＸ方向に連続して延びている。頂部域１３ａ、底部域１３ｂ及び側部域１３ｃは、表面シート２を厚み方向Ｚに沿って断面視したとき、表面シート２のＺ方向の厚みを三等分して、厚み方向Ｚの上方の部位を頂部域１３ａ、中央の部位を側部域１３ｃ、下方の部位を底部域１３ｂとして区別する。凸条部１３の頂部は、頂部域１３ａから形成されている。凹条部１４の底部は、底部域１３ｂから形成されている。側部域１３ｃは、頂部域１３ａ及び底部域１３ｂの間に位置している。
【００２１】
表面シート２は、側部域１３ｃの繊維密度又は底部域１３ｂの繊維密度が、頂部域１３ａの繊維密度よりも低くなっている。繊維密度とは、表面シート２の厚み方向に沿う断面における単位面積当たりの繊維の本数のことである。したがって、側部域１３ｃ又は底部域１３ｂは、頂部域１３ａに比べて繊維の本数が少ない（繊維間距離が大きい）、疎な領域になっている。このことに起因して、側部域１３ｃ又は底部域１３ｂは、頂部域１３ａに比べて通気性が高くなっている。その結果、吸収性物品１０は、その装着状態において、凹条部１４に沿って空気が流通するとともに、凸条部１３において、側部域１３ｃ又は底部域１３ｂを通じて、凸条部１３と直交する方向に空気が流通する。このように、吸収性物品１０は、肌対向面側において長手方向Ｘ及び幅方向Ｙのいずれの方向にも空気が流通する構造になっているので、肌対向面側における通気性が良好で、着用状態での蒸れが起こりにくいものとなる。しかも、表面シート２からなる凸条部１３と凹条部１４とが交互に形成されているので、吸収性物品１０の着用状態において、表面シート２の凹凸構造が着用者の動作に追従しやすく、肌あたりが良好である。
【００２２】
頂部域１３ａでの繊維密度（Ｄ１３ａ）に対する側部域１３ｃの繊維密度（Ｄ１３ｃ）、又は頂部域１３ａでの繊維密度（Ｄ１３ａ）に対する底部域１３ｂでの繊維密度（Ｄ１３ｂ）の比率（Ｄ１３ｃ／Ｄ１３a，Ｄ１３ｂ／Ｄ１３ａ）は、好ましくは０．１５以上０．９以下、更に好ましくは０．２以上０．８以下である。具体的に、表面シート２の繊維密度の値は、頂部域１３ａでの繊維密度（Ｄ１３ａ）は、好ましくは９０本／ｍｍ２以上２００本／ｍｍ２以下、更に好ましくは１００本／ｍｍ２以上１８０本／ｍｍ２以下である。また、底部域１３ｂでの繊維密度（Ｄ１３ｂ）は、好ましくは８０本／ｍｍ２以上２００本／ｍｍ２以下、更に好ましくは９０本／ｍｍ２以上１８０本／ｍｍ２以下である。また、側部域１３ｃの繊維密度（Ｄ１３ｃ）は、好ましくは３０本／ｍｍ２以上８０本／ｍｍ２以下、更に好ましくは４０本／ｍｍ２以上７０本／ｍｍ２以下である。繊維密度の測定方法は以下のとおりである。
【００２３】
〔頂部域１３ａ、底部域１３ｂ及び側部域１３ｃでの繊維密度の測定方法〕
フェザー剃刀（品番ＦＡＳ‐１０、フェザー安全剃刀（株）製）を用いて表面シート２を厚み方向Ｚに沿って切断する。頂部域１３ａでの繊維密度に関しては、表面シートの切断面の厚みをＺ方向に三等分した際の上方の部位である頂部域１３ａを、走査電子顕微鏡を用いて拡大観察（繊維断面が３０〜６０本程度計測できる倍率に調整；１５０〜５００倍）し、一定面積当たり（０．５ｍｍ２程度）の前記切断面によって切断されている繊維の断面数を数える。次に１ｍｍ２当たりの繊維の断面数に換算し、これを頂部域１３ａでの繊維密度とする。測定は３箇所行い、平均してそのサンプルの繊維密度とする。同様に、底部域１３ｂでの繊維密度に関しては、表面シートの切断面の厚みをＺ方向に三等分した際の下方の部位を測定して求める。同様に、側部域１３ｃの繊維密度に関しては、表面シートの切断面の厚みをＺ方向に三等分した際の中央の部位を測定して求める。なお、走査電子顕微鏡としては、日本電子（株）社製のＪＣＭ−５１００（商品名）を用いる。
【００２４】
凸条部１３及び凹条部１４からなる表面シート２の凹凸構造は、吸収性物品１０の幅方向Ｙにおける中央域に少なくとも形成されていることが好ましい。これによって、着用者の肌と最も当接しやすい部位に凹凸構造を設けることができるので、上述した蒸れ防止の効果や、着用者の動作への追従効果が確実に発揮される。特に、表面シート２は、周縁部７（図１参照）よりも内側の領域の全域に凹凸構造を有していることが、これらの効果が一層顕著なものとなる点から好ましい。
【００２５】
吸収性物品１０においては、表面シート２における頂部域１３ａ、すなわち凸条部１３の頂部に香料が含まれている。凸条部１３の頂部は、吸収性物品１０の着用状態において着用者の身体に直接に触れる部材なので、該頂部と着用者の身体との接触に起因する摩擦によって、凸条部１３の頂部に含まれている香料が揮散しやすい。香料の揮散は、着用者の体温によって促進される。その結果、吸収性物品１０に吸収保持された液から生じる臭気に先んじて香料が香るようになり、臭気が知覚されづらくなる。
【００２６】
しかも表面シート２は、凸条部１３及び凹条部１４を備えた凹凸の立体構造を有しているので尿臭がこもりづらい。しかも、凹凸構造に起因して、吸収性物品１０の着用状態において表面シート２と着用者の肌との間に空間が生じ、香料の拡散性が向上する。凸条部１３が中空構造であると、通気性が向上することに起因して、香料の拡散性も向上する上、中空の空間に香料が充満することで、尿臭が揮発しづらくなる。その上、表面シート２の側部域１３ｃ又は底部域１３ｂが、頂部域１３ａに比べて通気性が高くなっていることに起因して、吸収性物品１０の装着状態において、凹条部１４に沿って空気が流通するとともに、凸条部１３において、側部域１３ｃ又は底部域１３ｂを通じて、凸条部１３と直交する方向に空気が流通しやすいので、このことによっても香料の拡散性が向上する。
【００２７】
表面シート２は、その長手方向に沿って見たとき、中央域と、該中央域から前後方向に延出する前方域及び後方域とに区分される。表面シート２に形成された凸条部１３は、表面シート２の前方域から後方域までの長手方向の全長にわたって存在していることが好ましい。その場合、香料は、表面シート２の後方域における頂部域１３ａに含まれていることが好ましい。表面シート２のうち、着用者の肌と最も接触しやすい領域は後方域であることから、該後方域における頂部域１３ａに香料が含まれていることで、該頂部と着用者の身体との接触に起因する摩擦によって、香料が一層揮散しやすくなる。
【００２８】
特に、表面シート２の後方域だけでなく、前方域における頂部域１３ａにも香料が含まれていると、該頂部と着用者の身体との接触に起因する摩擦が一層生じることによって、香料が更に一層揮散しやすくなる。
【００２９】
先に述べたとおり、表面シート２は、その凹条部１４において、隣接する下側シート６と接合部１４ｓにおいて接合されており、凸条部１３は表面シート２と下側シート６との間で中空構造を有している。そのことに起因して、吸収性物品１０の着用状態において凸条部１３に着用者の体圧が加わったとしても、中空構造が確実に維持され、それによって香料の揮散性が維持される。
【００３０】
表面シート２の頂部域１３ａに香料を含ませる方法としては、例えば、使用される香料を適当な溶媒（例えば水、エタノール、低分子炭化水素類、多価アルコール類、液体ＬＰＧガス、ジメチルエーテル等）に希釈したものや原液そのものを、凸条部１３に塗布、噴霧又は含浸させて塗工する方法等が挙げられる。なお、本発明においては、香料を含む部位を頂部域１３ａに限定する意図はなく、少なくとも頂部域１３ａに香料を含むことを必須とするものである。したがって、頂部域１３ａ以外の部位、例えば側部域１３ｃや底部域１３ｂに香料を含むことは何ら妨げられない。更に、吸収性物品１０における表面シート２以外の部位に香料を含むことも何ら妨げられない。
【００３１】
本発明で用いられる香料としては、大気圧下で香気を大気中に蒸散し得るものであればよく、常温常圧の環境下で、その香気を知覚し得る通常の香料を特に制限なく用いることができ、当該技術分野において従来用いられてきたものと同様のものも用いることができる。例えば、香料としては、沸点が約２５０℃以下の高揮発性香料成分、又は沸点が約２５０〜約３００℃の中揮発性香料成分が好ましく用いられる。
【００３２】
前記高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、１−カルボン、ゲラニアール、ゲラニオール、酢酸ゲラニル、ゲラニルニトリル、酢酸ネリル、酢酸ノニル、リナロール、エチルリナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられ、これらの１種を単独で又は２種以上を組み合わせて用いることができる。
【００３３】
前記中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、イソオイゲノール、γ−メチルヨノン、ヘリオトロピン、サリチル酸ヘキシル、サリチル酸シス−３−ヘキセニル、フェニルヘキサノール、ペンタライド等が挙げられ、これらの１種を単独で又は２種以上を組み合わせて用いることができる。
【００３４】
香料としては、前述の高揮発性及び中揮発性香料成分以外に、あるいはこれら香料成分に加えて更に、バラ香調、ラベンダー香調、ジャスミン香調、イランイラン香調を有する香料を含有した香料組成物を用いることもできる。斯かる香料組成物としては、例えば、ネロール、ラバンジュロール、ジャスマール、シクロピデン等が挙げられ、これらの１種を単独で又は２種以上を組み合わせて用いることができる。
【００３５】
また、香料には、前述した香料組成物の単体、及び天然精油や調合ベースのように、「複数の香料によって構成される香料素材が組み合わされたもの（香料組成物）で、溶剤によって希釈・調整されたもの」が含まれる。例えば、香料として、バラ、ラベンダー、ジャスミン、イランイラン様香気を有する香料を含有する香料組成物を用いることができる。
【００３６】
特に、香料は、尿臭成分に起因するヒトの嗅覚受容体の活性化を阻害する物質（以下、この物質のことを「アンタゴニスト香料」とも言う。）を含むことが好ましい。アンタゴニストとは、結合部位を奪い合うことで作用を阻害する競合的拮抗薬のことであり、アンタゴニスト香料とは、図５（ａ）に示すとおり、結合部位が嗅覚受容体２０である場合に、目的の臭い分子２１が嗅覚受容体２０に結合して該受容体２０が活性化して臭い情報が伝達されるときに、図５（ｂ）に示すとおり、目的の臭い分子２１と他の分子２２をともに適用することにより、当該他の分子２２によって目的の臭い分子２１に対する受容体の活性化を阻害し、結果的に個体に認識される臭いを抑制するために用いられる当該他の分子のことである。つまり、アンタゴニスト香料を用いることで、嗅覚受容体アンタゴニズムによる臭いの抑制を達成することができる。このように、アンタゴニスト香料を用いることで、該アンタゴニスト香料自体の香気が強くなくても、高い尿臭の抑制効果が発現する。
【００３７】
嗅覚受容体アンタゴニズムによる臭いの抑制は、同様に他の分子を用いる手段であっても、芳香剤による消臭のように、目的の臭いを香料の香気によって隠蔽（マスキング）する手段とは区別される。嗅覚受容体アンタゴニズムによる臭いの抑制の一例は、アンタゴニスト等の嗅覚受容体の活性化を阻害する物質を使用するケースである。特定の臭いをもたらす臭い分子の受容体にその活性化を阻害する物質を適用すれば、当該受容体の当該臭い分子に対する活性化が阻害されるため、最終的に個体に知覚される臭いを抑制することができる。
【００３８】
尿臭成分としては、ｐ−クレゾール及び２−メトキシ−４−ビニルフェノールが代表的なものとして知られている。これらの物質の臭いを嗅覚受容体アンタゴニズムによって抑制することが、効果的な臭気の抑制の点から好ましい。ｐ−クレゾール及び２−メトキシ−４−ビニルフェノールは、放尿又は採尿後時間が経った尿又は飛び散って乾燥した尿から発せられる臭い、あるいは使用後放置した吸収性物品から発せられる尿の臭いの代表的なものである。
【００３９】
本明細書において、「尿臭」とは、好適には、放尿又は採尿後時間が経った尿から発せられる臭いである。例えば、本明細書における「尿臭」は、飛び散って乾燥した尿の臭い又は使用後放置した吸収性物品から発する尿の臭いであり得る。また好適には、本明細書における「尿臭」は、βグルクロニダーゼ処理された尿又はその抽出物の臭いである。
【００４０】
特に、アンタゴニスト香料は、ヒトの嗅覚受容体としてのＯＲ９Ｑ２、ＯＲ１０Ｇ４、ＯＲ１０Ｇ７又はＯＲ２Ｗ１の活性化を阻害する物質のいずれかであることが好ましい。これによって尿臭成分に対する活性が一層抑制され、最終的に個体に知覚される臭いを更に一層抑制することができる。これらの嗅覚受容体のうち、ＯＲ９Ｑ２又はＯＲ２Ｗ１にアンタゴニスト香料を適用することで、ｐ−クレゾールに対して特異的に臭いの抑制効果が発揮される。また、ＯＲ１０Ｇ４又はＯＲ１０Ｇ７にアンタゴニスト香料を適用することで、２−メトキシ−４−ビニルフェノールに対して特異的に臭いの抑制効果が発揮される。
【００４１】
本発明において、特に好ましく用いられるアンタゴニスト香料としては、例えばＯＲ９Ｑ２に結合し得る以下の化合物が挙げられる。これらの化合物は１種を単独で、又は２種以上を組み合わせて用いることができる。
・３−（４−ｔｅｒｔ−ブチルフェニル）プロパナール（Ｂｏｕｒｇｅｏｎａｌ）
・３，７，１１−トリメチルドデカ−１，６，１０−トリエン−３−オール（Ｎｅｒｏｌｉｄｏｌ）
・メチルセドリルケトン（１−［（１Ｓ，２Ｒ，５Ｒ，７Ｓ）−２，６，６，８−ｔｅｔｒａｍｅｔｈｙｌｔｒｉｃｙｃｌｏ［５．３．１．０１，５］ｕｎｄｅｃ−８−ｅｎ−９−ｙｌ］ｅｔｈａｎｏｎｅ；Ａｃｅｔｙｌ ｃｅｄｒｅｎｅ） 
・１−（２−ｔｅｒｔ−ブチルシクロヘキシル）オキシブタン−２−オール（Ａｍｂｅｒｃｏｒｅ）
・２，２，７，７−テトラメチルトリシクロ［６．２．１．０１，６］ウンデカン−５−オン（ｉｓｏ−Ｌｏｎｇｉｆｏｌａｎｏｎｅ）
【００４２】
本発明においてアンタゴニスト香料として、ＯＲ２Ｗ１に結合し得る以下の化合物も好ましく挙げられる。
・（３Ｒ，３ａＳ，６Ｓ，７Ｒ，８ａＳ）−Ｏｃｔａｈｙｄｒｏ−６ｍｅｔｈｏｘｙ−３，６，８，８，−ｔｅｔｒａｍｅｔｈｙｌ−１Ｈ−３ａ，７−ｍｅｔｈａｎｏａｚｕｌｅｎｅ（Ｍｅｔｈｙｌ  Ｃｅｄｒｙｌ  Ｅｔｈｅｒ）
【００４３】
本発明においてアンタゴニスト香料として、ＯＲ１０Ｇ４に結合し得る以下の化合物も好ましく挙げられる。
・５−メチル−２−（１−メチルエチル）−フェノール（Ｔｈｙｍｏｌ）
【００４４】
本発明においてアンタゴニスト香料として、ＯＲ１０Ｇ７に結合し得る以下の化合物も好ましく挙げられる。
・２−メチルウンデカナール（Ａｌｄｅｈｙｄｅ  Ｃ−１２  ＭＮＡ）
・Ｂｅｎｚｏｉｎ  Ｓｉａｍ
【００４５】
上述したＯＲ９Ｑ２アンタゴニスト香料、ＯＲ２Ｗ１アンタゴニスト香料、ＯＲ１０Ｇ４アンタゴニスト香料及びＯＲ１０Ｇ７アンタゴニスト香料は、これまで香料素材として知られていたが、これらの嗅覚受容体に対するアンタゴニスト作用を有することや、ｐ−クレゾール臭を始めとする尿臭を選択的に抑制する機能があることは知られていなかった。本発明において香料は、上述した化合物より選択される少なくとも１種を有効成分とするアンタゴニスト香料であることが好ましい。
【００４６】
上述した各種の嗅覚受容体に対するアンタゴニスト香料は、いずれも市販のものを購入して使用することができる（「合成香料  化学と商品知識」増補改訂版、印藤元一著、化学工業日報社、 ２００５年３月発行を参照）。例えば、ＯＲ９Ｑ２アンタゴニスト香料は、Ｆｉｒｍｅｎｉｃｈ  Ｓ．  Ａ．，Ｇｉｖａｕｄａｎ  Ｓ． Ａ．，Ｉｎｔｅｒｎａｔｉｏｎａｌ  Ｆｌａｖｏｒｓ  ＆  Ｆｒａｇｒａｎｃｅｓ  Ｉｎｃ．，ＳＩＧＭＡ−ＡＬＤＲＩＣＨ  Ｃｏｒｐｏｒａｔｉｏｎ、高砂香料工業株式会社、花王株式会社などから入手することが可能である。あるいは、化学合成によって、該市販品と同一物質又はそれを含む組成物を製造することが可能である。
【００４７】
また、本発明の吸収性物品において、香料の含有量は特に制限されず、所望の消臭性能や吸収性能等に応じて適宜設定することができる。例えば、吸収性物品１枚当たり０．５ｍｇ以上１００ｍｇ以下の香料を含むことができる。 特に、香料としてアンタゴニスト香料を用いた場合には、０．１ｍｇ以上５０ｍｇ以下程度の比較的少ない含有量としても、十分な尿臭抑制効果が得られる点で好ましい。
【００４８】
本発明の適用の対象となる吸収性物品は、ヒトの排泄物を吸収保持するために用いられる各種の製品を広く包含する。例えばベビー用及び大人用の使い捨ておむつ、軽失禁用の失禁パッド、大人用の使い捨ておむつの内側に配置して使用される補助パッド、生理用ナプキン及びパンティライナなどが挙げられるが、これらに限られない。
【００４９】
また前記実施形態は、表面シートの肌対向面側に形成された凹凸構造が、筋状の凸条部１３及び凹条部１４が幅方向に交互に配されたものから構成されていたが、凹凸構造はこれに限らない。例えば図５に示すとおり、表面シート２に、散点状に凸部１３’を配置することができる。詳細には、表面シート２においては、その面内における一方向Ａに沿って凸部１３’と凹部１４’とを交互に配置することができる。これとともに、Ａ方向に直交するＢ方向に沿って凸部１３’と凹部１４’とを交互に配置することができる。図５に示す実施形態においては、凸部１３’の頂部を形成する頂部域に香料が含まれている。また、図５に示す実施形態においては、四方向に形成された側部域の少なくも一方向の側部域の繊維密度又は凹部１４’の底部を形成する底部域の繊維密度が、前記頂部域の繊維密度よりも低くなっていることが好ましい。
【００５０】
更に前記実施形態では、凸条部１３や凸部１３’が中空構造を有していたが、これに代えて、凸条部１３や凸部１３’はその内部が繊維で満たされた中実構造であってもよい。
【実施例】
【００５１】
以下、実施例により本発明を更に詳細に説明する。しかしながら本発明の範囲は、かかる実施例に制限されない。
【００５２】
〔実施例１及び２〕
吸収性物品として、花王株式会社の軽失禁パッド５０ｃｃタイプ（商品名：ロリエさらピュア５０ｃｃ）を用いた。この吸収性物品の表面シートは、図２及び図３に示す構造を有するものであった。
香料として以下の表１に示すものを用いた。この香料を、前記の表面シートにおける頂部域の位置に塗布した。塗布は、吸収性物品の全長にわたって該頂部にのみ行った。
【００５３】
〔比較例１及び２〕
比較例１として、各実施例と同構造の吸収性物品において、吸収性コアに香料を含んでいるものを用いた。また、比較例２として、表面シートに凹凸構造を有さないフラットな構造のシートを用い、吸収性コアに香料を含んでいるものを用いた。その他は各実施例と同様の吸収性物品を用いた。各比較例における香料の塗布量は、各実施例とすべて同じとした。
【００５４】
〔評価〕
各実施例及び各比較例の吸収性物品に人尿を各２０ｇ注入し、尿臭を官能で評価した。以下の６段階で評価を行い、３名の評価者による評価の平均値を求めた。その評価結果を以下の表１に示す。
１：尿臭がしない
２：尿臭がほとんどしない
３：尿臭が弱くする
４：尿臭がする
５：尿臭が楽にする
６：尿臭が強くする
【００５５】
【表１】
2018102615.tif 000003
【００５６】
表１に示す結果から明らかなとおり、各実施例の値は３未満となり、各比較例に比べて、臭気の抑制効果が高いことが分かる。
【符号の説明】
【００５７】
２  表面シート
３  裏面シート
４  吸収体
６  下側シート
１０  吸収性物品
１１  構成繊維
１３  凸条部
１３ａ  頂部域
１３ｂ  底部域
１３ｃ  側部域
１４  凹条部
１４ｓ  接合部
【図１】
2018102615.tif 000004
【図２】
2018102615.tif 000005
【図３】
2018102615.tif 000006
【図４】
2018102615.tif 000007
【図５】
2018102615.tif 000008